(57)【要約】【課題】  送信側の複数の映像信号源から出力された送信映像信号を個別の回線データとしてネットワークを介して伝送し、それら回線データを受信側で受信映像信号として各々受信する際に各受信映像信号をフレーム同期させかつフレーム同期の位相差を吸収して得ることができる映像伝送システム及び映像同期方法を提供する。【解決手段】  受信側で映像信号源毎に受信映像信号のフレーム同期信号と共通フレーム同期信号との位相差に応じた時間だけ共通フレーム同期信号を遅延させて遅延フレーム同期信号を生成し、その遅延フレーム同期信号のタイミングを含む時間情報を示す時間情報パケットが送信側に伝送され、送信側ではその時間情報パケットが示す時間情報に応じて遠隔フレーム同期信号を生成し、映像信号源各々では、映像信号源毎に得られた遠隔フレーム同期信号に同期して送信映像信号を出力する。【選択図】  図４
2012080405.tif 000002
【特許請求の範囲】
【請求項１】
送信側の複数の映像信号源から出力された送信映像信号を個別の回線データとしてネットワークを介して伝送し、それら回線データを受信側で各々受信する映像伝送システムであって、
共通フレーム同期信号を生成する単一の同期信号源を備え、
前記映像信号源毎に、
前記送信映像信号をデータ化して送信映像パケットを生成する送信映像パケット生成手段と、前記送信映像信号中のフレーム同期信号のタイミングを含む時間情報を示す第１時間情報パケットを生成する第１時間情報パケット生成手段と、前記送信映像パケットと前記第１時間情報パケットとを前記回線データとして送信してそれを前記ネットワークによって伝送させる第１パケット送信手段と、を含む送信装置と、
前記ネットワークによって伝送された前記回線データを受信してその受信した回線データから受信映像パケットと受信時間情報パケットとを個別に出力するパケット受信手段と、前記受信時間情報パケットが示す時間情報に応じて受信フレーム同期信号を生成する受信フレーム同期信号生成手段と、前記受信フレーム同期信号に同期して前記受信映像パケット中の映像データから受信映像信号を再生する再生手段と、を含む受信装置と、
前記受信映像信号中のフレーム同期信号と前記共通フレーム同期信号との位相差に応じた時間だけ共通フレーム同期信号を遅延させて遅延フレーム同期信号を生成する遅延フレーム同期信号生成手段と、
前記遅延フレーム同期信号のタイミングを含む時間情報を示す第２時間情報パケットを生成する第２時間情報パケット生成手段と、
前記第２時間情報パケットを送信してそれを前記ネットワークによって伝送させる第２パケット送信手段と、
前記ネットワークによって伝送された前記第２時間情報パケットを受信してその受信した前記第２時間情報パケットが示す時間情報に応じて遠隔フレーム同期信号を生成する遠隔フレーム同期信号生成手段と、を備え、
前記映像信号源各々は、前記映像信号源毎に得られた前記遠隔フレーム同期信号に同期して前記送信映像信号を出力することを特徴とする映像伝送システム。
【請求項２】
前記遅延フレーム同期信号生成手段は、前記受信映像信号中からフレーム同期信号を抽出する抽出部と、
前記抽出部によって抽出されたフレーム同期信号と前記共通フレーム同期信号との位相差を測定する測定部と、
所定の時間から前記測定部によって測定された位相差だけ差し引いた時間だけ前記共通フレーム同期信号を遅延させて前記遅延フレーム同期信号を生成する遅延部と、を備えることを特徴とする請求項１記載の映像伝送システム。
【請求項３】
前記共通フレーム同期信号に応じて画素単位のタイミングを示す基本クロックを生成するクロック抽出部を更に備え、
前記測定部は前記基本クロックに応じて前記位相差を測定し、前記遅延部は前記基本クロックに応じて前記差し引いた時間だけ前記共通フレーム同期信号を遅延させて前記遅延フレーム同期信号を生成することを特徴とする請求項２記載の映像伝送システム。
【請求項４】
前記所定の時間は前記遅延部の最大遅延時間であることを特徴とする請求項２記載の映像伝送システム。
【請求項５】
前記受信装置は、前記第２時間情報パケット生成手段と前記第２パケット送信手段とを内部に備え、前記送信装置は、遠隔フレーム同期信号生成手段を内部に備えることを特徴とする請求項１記載の映像伝送システム。
【請求項６】
前記送信装置は、前記送信映像信号に応じて前記送信映像信号中のフレーム同期信号と共に画素単位のタイミングを示す送信基本クロックを生成する第１クロック抽出部を更に備え、
前記送信映像パケット生成手段は、前記送信映像信号中のフレーム同期信号と前記送信基本クロックとに応じて前記送信映像信号をデータ化して前記送信映像パケットを生成し、
前記第１時間情報パケット生成手段は、前記送信映像信号中のフレーム同期信号のタイミングと前記送信基本クロックのタイミングとを含む時間情報を示す前記第１時間情報パケットを生成することを特徴とする請求項１記載の映像伝送システム。
【請求項７】
前記受信フレーム同期信号生成手段は、前記受信時間情報パケットが示す時間情報に応じて第１内部フレーム同期信号を生成する第１同期信号生成部と、
前記第１内部フレーム同期信号と前記受信フレーム同期信号との位相差に応じた制御電圧を生成する第１位相比較器と、
前記位相比較器によって生成された制御電圧に応じた周波数で受信基本クロックを生成する第１電圧制御発振器と、
前記受信基本クロックを分周して前記受信フレーム同期信号を生成する第１分周回路と、を備え、
前記第１同期信号生成部は、前記受信基本クロックに同期して第１内部フレーム同期信号を生成し、
前記再生手段は、前記受信フレーム同期信号及び受信基本クロックに同期して前記受信映像パケット中の映像データから受信映像信号を再生することを特徴とする請求項１記載の映像伝送システム。
【請求項８】
前記第２時間情報パケット生成手段は、前記遅延フレーム同期信号に応じて画素単位のタイミングを示す送信基本クロックを生成する第２クロック抽出部と、
前記第２クロック抽出部によって生成された前記送信基本クロックのタイミングと前記遅延フレーム同期信号のタイミングを含む時間情報を示す前記第２送信時間情報パケットを生成する時間情報パケット生成部と、を備えることを特徴とする請求項１又は２記載の映像伝送システム。
【請求項９】
前記遠隔フレーム同期信号生成手段は、前記ネットワークによって伝送された前記第２時間情報パケットを受信するパケット受信部と、
前記パケット受信部によって受信された前記第２時間情報パケットが示す時間情報に応じて第２内部フレーム同期信号を生成する第２同期信号生成部と、
前記第２内部フレーム同期信号と前記遠隔フレーム同期信号との位相差に応じた制御電圧を生成する第２位相比較器と、
前記第２位相比較器によって生成された制御電圧に応じた周波数で基本クロックを生成する第２電圧制御発振器と、
前記第２電圧制御発振器によって生成された基本クロックを分周して前記遠隔フレーム同期信号を生成する分周回路と、を備え、
前記第２同期信号生成部は、前記第２電圧制御発振器によって生成された基本クロックに同期して第２内部フレーム同期信号を生成することを特徴とする請求項１又は２記載の映像伝送システム。
【請求項１０】
前記映像信号源各々に対して前記再生手段によって再生された前記受信映像信号の切り替え及び前記受信映像信号が示す画面の合成のうちの少なくとも１つを行う映像機器を備えることを特徴とする請求項１記載の映像伝送システム。
【請求項１１】
送信側の複数の映像信号源から出力された送信映像信号を個別の回線データとしてネットワークを介して伝送し、それら回線データを受信側で各々受信する映像伝送システムの映像同期方法であって、
共通フレーム同期信号を生成するステップを備え、
前記映像信号源毎に、
前記送信映像信号をデータ化して送信映像パケットを生成し、前記送信映像信号中のフレーム同期信号のタイミングを含む時間情報を示す第１時間情報パケットを生成し、前記送信映像パケットと前記第１時間情報パケットとを前記回線データとして送信してそれを前記ネットワークによって伝送させる送信ステップと、
前記ネットワークによって伝送された前記回線データを受信してその受信した回線データから受信映像パケットと受信時間情報パケットとを個別に得て、前記受信時間情報パケットが示す時間情報に応じて受信フレーム同期信号を生成し、前記受信フレーム同期信号に同期して前記受信映像パケット中の映像データから受信映像信号を再生する受信ステップと、
前記受信映像信号中のフレーム同期信号と前記共通フレーム同期信号との位相差に応じた時間だけ共通フレーム同期信号を遅延させて遅延フレーム同期信号を生成する遅延フレーム同期信号生成ステップと、
前記遅延フレーム同期信号のタイミングを含む時間情報を示す第２時間情報パケットを生成する第２時間情報パケット生成ステップと、
前記第２時間情報パケットを送信してそれを前記ネットワークによって伝送させる第２パケット送信ステップと、
前記ネットワークによって伝送された前記第２時間情報パケットを受信してその受信した前記第２時間情報パケットが示す時間情報に応じて遠隔フレーム同期信号を生成する遠隔フレーム同期信号生成ステップと、を備え、
前記映像信号源各々では、前記映像信号源毎に得られた前記遠隔フレーム同期信号に同期して前記送信映像信号を出力することを特徴とする映像同期方法。
【発明の詳細な説明】
【技術分野】
【０００１】
本発明は、複数の映像信号源から個別に出力された映像信号をネットワークを介して伝送する映像伝送システム及び映像同期方法に関する。
【背景技術】
【０００２】
一般に、監視映像伝送システム、放送局素材伝送システム、テレビ中継システム等の映像伝送システムは、図１に示すように、映像信号源１-１〜１-ｎ、同期信号源２-１〜２-ｎ、送信装置３-１〜３-ｎ、ネットワーク４、受信装置５-１〜５-ｎ、ＦＳ(フレームシンクロナイザ)６、同期信号源７、及び映像機器８により構成されている。同期信号源２-１〜２-ｎ、送信装置３-１〜３-ｎ、及び受信装置５-１〜５-ｎは映像信号源１-１〜１-ｎの数ｎだけ備えられている。映像信号源１-１、同期信号源２-１及び送信装置３-１からなる部分が１つの送信側機器を構成し、映像信号源１-２、同期信号源２-２及び送信装置３-２からなる部分が１つの送信側機器を構成し、....、映像信号源１-ｎ、同期信号源２-ｎ及び送信装置３-ｎからなる部分が１つの送信側機器を構成する。各送信側機器の設置場所は互いに離れていても良い。
【０００３】
映像信号源１-１〜１-ｎ各々は、個別の同期信号源２-１〜２-ｎ、或いは内蔵されたクロック素子から生成される信号に同期して送信映像信号を出力する。映像信号源１-１〜１-ｎ各々は例えば、ビデオカメラや、蓄積メディアを再生して映像信号を出力するＶＴＲ，ＤＶＤプレーヤ等の再生装置である。
【０００４】
送信装置３-１〜３-ｎ各々は、図２に示すように、クロック抽出部３１、ビデオ入力処理部３２、ビデオパケット処理部３３、時間情報パケット生成部３４、及びパケット送信部３５から構成されている。クロック抽出部３１はいずれかの映像信号源から供給される送信映像信号から送信基本クロックａ及び送信フレーム同期信号ｂを抽出し、送信基本クロックａ及び送信フレーム同期信号ｂをビデオ入力処理部３２、ビデオパケット処理部３３、及び時間情報パケット生成部３４に供給する。基本クロックａは送信映像信号の画素単位のタイミングを表す。ビデオ入力処理部３２において送信映像信号は送信基本クロックａ及び送信フレーム同期信号ｂに応じたタイミングで入力処理（例えば、符号処理）されて送信映像データとされる。その送信映像データはビデオパケット処理部３３において送信基本クロックａ及び送信フレーム同期信号ｂに応じて送信映像パケットとされる。更に、時間情報パケット生成部３４においては送信基本クロックａ及び送信フレーム同期信号ｂに応じて時間情報パケットが生成される。時間情報パケットは受信装置５-１〜５-ｎ各々で送信基本クロックａ及び送信フレーム同期信号ｂに同期した信号を再生するため必要な時間情報を備えたパケットである。送信映像パケット及び時間情報パケットはパケット送信部３５によって送信回線データとして送信される。
【０００５】
各送信装置３-１〜３-ｎからの送信回線データはネットワーク４を介して受信装置５-１〜５-ｎに伝送される。
【０００６】
受信装置５-１〜５-ｎ各々は、伝送された回線データを受信して受信映像信号を出力するために、図３に示すように、パケット受信部５１、同期信号生成部５２、位相比較器５３、ＶＣＸＯ（電圧制御発振器）５４、分周回路５５、ビデオパケット処理部５６、及びビデオ出力処理部５７から構成されている。パケット受信部５１は受信回線データを受信映像パケットと時間情報パケットとに分離する。時間情報パケットは同期信号生成部５２に供給される。同期信号生成部５２は時間情報パケットが示す時間情報に応じて内部フレーム同期信号を再生する。位相比較器５３、ＶＣＸＯ（電圧制御発振器）５４及び分周回路５５はＰＬＬ回路を構成し、内部フレーム同期信号に基づいて受信基本クロックａ’及び受信フレーム同期信号ｂ’を生成する。すなわち、位相比較器５３は内部フレーム同期信号と受信フレーム同期信号ｂ’との位相差に応じた制御電圧を生成する。ＶＣＸＯ５４は制御電圧に応じた周波数で受信基本クロックａ’を生成する。分周回路５５は受信基本クロックａ’を分周して受信フレーム同期信号ｂ’を生成する。基本クロックａ’は例えば、受信映像信号の画素単位のタイミングを表す。
【０００７】
受信基本クロックａ’及び受信フレーム同期信号ｂ’は送信装置３-１〜３-ｎのうちの対応する送信装置の送信基本クロックａ及び送信フレーム同期信号ｂに同期した信号である。受信基本クロックａ’及び受信フレーム同期信号ｂ’はビデオパケット処理部５６及びビデオ出力処理部５７に供給される。また、受信基本クロックａ’は内部フレーム同期信号の生成のために同期信号生成部５２に供給される。パケット受信部５１からの受信映像パケットはビデオパケット処理部５６に供給される。ビデオパケット処理部５６は受信基本クロックａ’及び受信フレーム同期信号ｂ’に同期して受信映像パケットから受信映像データを抽出してビデオ出力処理部５７に供給する。ビデオ出力処理部５７は受信基本クロックａ’及び受信フレーム同期信号ｂ’に同期して受信映像データを出力処理（例えば、復号処理）して受信映像信号を出力する。
【０００８】
ＦＳ６は受信装置５-１〜５-ｎから出力された受信映像信号を同期信号源７から供給されたフレーム同期信号に同期させて映像機器８に出力する。映像機器８は入力された映像信号を切り替えて出力する切替器、映像信号を合成する画面合成器等の機器を備えている。映像機器８の各機器は入力された各映像信号を同じ時間軸で処理するため、各々はフレーム同期している必要がある。これは受信側でＦＳ６等の部分により各映像信号を同期させないと、機能、性能にもよるが、切替時には表示画像が瞬間的に乱れ、複数画面合成では表示映像が異常となるからである。
【先行技術文献】
【特許文献】
【０００９】
【特許文献１】特開２０１０−７４４９７号公報
【特許文献２】特開２００１−２６８３８８号公報
【発明の概要】
【発明が解決しようとする課題】
【００１０】
しかしながら、上記構成の従来の映像伝送システムにおいては次の如き問題点があった。
【００１１】
映像信号源１-１〜１-ｎの各々は個別の同期信号源２-１〜２-ｎ(或いは各々に内蔵されたクロック素子)によって生成された同期信号に基づいた周波数で送信映像信号を発生する。そのため、受信装置５-１〜５-ｎ各々において再生した受信基本クロックａ’及び受信フレーム同期信号ｂ’は映像信号源１-１〜１-ｎのうちの対応した映像信号源の出力映像信号に基づいた受信映像データには同期するが、それ以外の映像信号源の出力映像信号に基づいた受信映像データには同期できない。例えば、受信装置５-１は映像信号源１-１の出力映像信号に基づいた受信映像データには同期するが、映像信号源１-２〜１-ｎ各々の出力映像信号に基づいた受信映像データには同期できない。
【００１２】
また、ＦＳ６が使用するフレーム同期信号は別の同期信号源７から供給されており、各映像信号源１-１〜１-ｎの同期信号とは同期する構成ではない。このことから、ＦＳ６に供給される全受信映像信号はＦＳ６に入力されるフレーム同期信号とは同期していないので、ＦＳ６内ではフレームのコマ落ち、或いは同一フレームの連続が発生することがある。フレームのコマ落ちや連続は、映像品質の劣化を主観的に感じる可能性のある事象である。
【００１３】
システムの性格上、用途として公共性の高いサービスに使用される可能性があり、映像配信等の不特定多数ユーザへのサービスに使用している場合は、フレームのコマ落ちや連続の発生は、視聴者に違和感を与え、それによる社会的な影響が懸念される。
【００１４】
また、映像信号源１-１〜１-ｎは互いに近く(例えば、同一の建物内)に配置されるとは限らず、遠隔地(例えば、別の都道府県など)に配置されることを想定する必要がある。つまり、近くに配置されている場合は同一の同期信号源からの同期信号を各映像信号源に接続すれば全映像信号源の出力する送信映像信号を同期させることが可能であるが、遠隔地に配置されている場合は、このような解決策をとることができない。
【００１５】
更に、ＦＳ６を使用するために映像信号の遅延が増加するという問題点もある。これに対処するために、特許文献１に示された方法は、受信装置の後段にＦＳを使用せずに複数の受信装置のいずれか１つの受信装置の出力信号を基準同期信号として用いる方法を提示している。この方法では共通の同期信号源を別途必要とせず、後段にＦＳを接続する必要がないが、受信装置各々に同期吸収のためのフレームメモリを搭載する必要があり、フレームのコマ落ちや連続、遅延時間の増加という点ではＦＳを使用した場合と同様である。
【００１６】
特許文献２に示された方法は、受信側から同期信号を、無線送信装置を用いて各映像信号源に供給することにより、各映像信号源を同期させることを可能とするものである。この方法では無線送信装置を用いているが、有線の通信回線等においても、上り回線を用いることによる方法も同様に構成することが容易に想定される。
【００１７】
しかしながら、特許文献２に示された方法においても、映像をデータとして送信する装置から受信する装置までの伝送路上の遅延時間が、伝送経路の相違によって、対をなす送信装置及び受信装置毎に異なる場合に、各受信装置が出力する映像信号のフレーム同期には位相差が生じるので、その位相差を吸収するためにＦＳが必要となる。
【００１８】
そこで、本発明の目的は、送信側の複数の映像信号源から出力された送信映像信号を個別の回線データとしてネットワークを介して伝送し、それら回線データを受信側で受信映像信号として各々受信する際に各受信映像信号をフレーム同期させかつフレーム同期の位相差を吸収して得ることができる映像伝送システム及び映像同期方法を提供することである。
【課題を解決するための手段】
【００１９】
本発明の映像伝送システムは、送信側の複数の映像信号源から出力された送信映像信号を個別の回線データとしてネットワークを介して伝送し、それら回線データを受信側で各々受信する映像伝送システムであって、共通フレーム同期信号を生成する単一の同期信号源を備え、前記映像信号源毎に、前記送信映像信号をデータ化して送信映像パケットを生成する送信映像パケット生成手段と、前記送信映像信号中のフレーム同期信号のタイミングを含む時間情報を示す第１時間情報パケットを生成する第１時間情報パケット生成手段と、前記送信映像パケットと前記第１時間情報パケットとを前記回線データとして送信してそれを前記ネットワークによって伝送させる第１パケット送信手段と、を含む送信装置と、前記ネットワークによって伝送された前記回線データを受信してその受信した回線データから受信映像パケットと受信時間情報パケットとを個別に出力するパケット受信手段と、前記受信時間情報パケットが示す時間情報に応じて受信フレーム同期信号を生成する受信フレーム同期信号生成手段と、前記受信フレーム同期信号に同期して前記受信映像パケット中の映像データから受信映像信号を再生する再生手段と、を含む受信装置と、前記受信映像信号中のフレーム同期信号と前記共通フレーム同期信号との位相差に応じた時間だけ共通フレーム同期信号を遅延させて遅延フレーム同期信号を生成する遅延フレーム同期信号生成手段と、前記遅延フレーム同期信号のタイミングを含む時間情報を示す第２時間情報パケットを生成する第２時間情報パケット生成手段と、前記第２時間情報パケットを送信してそれを前記ネットワークによって伝送させる第２パケット送信手段と、前記ネットワークによって伝送された前記第２時間情報パケットを受信してその受信した前記第２時間情報パケットが示す時間情報に応じて遠隔フレーム同期信号を生成する遠隔フレーム同期信号生成手段と、を備え、前記映像信号源各々は、前記映像信号源毎に得られた前記遠隔フレーム同期信号に同期して前記送信映像信号を出力することを特徴としている。
【００２０】
本発明の映像同期方法は、送信側の複数の映像信号源から出力された送信映像信号を個別の回線データとしてネットワークを介して伝送し、それら回線データを受信側で各々受信する映像伝送システムの映像同期方法であって、共通フレーム同期信号を生成するステップを備え、前記映像信号源毎に、前記送信映像信号をデータ化して送信映像パケットを生成し、前記送信映像信号中のフレーム同期信号のタイミングを含む時間情報を示す第１時間情報パケットを生成し、前記送信映像パケットと前記第１時間情報パケットとを前記回線データとして送信してそれを前記ネットワークによって伝送させる送信ステップと、前記ネットワークによって伝送された前記回線データを受信してその受信した回線データから受信映像パケットと受信時間情報パケットとを個別に得て、前記受信時間情報パケットが示す時間情報に応じて受信フレーム同期信号を生成し、前記受信フレーム同期信号に同期して前記受信映像パケット中の映像データから受信映像信号を再生する受信ステップと、前記受信映像信号中のフレーム同期信号と前記共通フレーム同期信号との位相差に応じた時間だけ共通フレーム同期信号を遅延させて遅延フレーム同期信号を生成する遅延フレーム同期信号生成ステップと、前記遅延フレーム同期信号のタイミングを含む時間情報を示す第２時間情報パケットを生成する第２時間情報パケット生成ステップと、前記第２時間情報パケットを送信してそれを前記ネットワークによって伝送させる第２パケット送信ステップと、前記ネットワークによって伝送された前記第２時間情報パケットを受信してその受信した前記第２時間情報パケットが示す時間情報に応じて遠隔フレーム同期信号を生成する遠隔フレーム同期信号生成ステップと、を備え、前記映像信号源各々では、前記映像信号源毎に得られた前記遠隔フレーム同期信号に同期して前記送信映像信号を出力することを特徴としている。
【発明の効果】
【００２１】
本発明の映像伝送システム及び映像同期方法によれば、受信側で映像信号源毎に受信映像信号のフレーム同期信号と共通フレーム同期信号との位相差に応じた時間だけ共通フレーム同期信号を遅延させて遅延フレーム同期信号を生成し、その遅延フレーム同期信号のタイミングを含む時間情報を示す第２時間情報パケットが送信側に伝送され、送信側では第２時間情報パケットが示す時間情報に応じて遠隔フレーム同期信号を生成し、映像信号源各々では、映像信号源毎に得られた遠隔フレーム同期信号に同期して送信映像信号を出力することが行われる。よって、受信側ではＦＳを用いることなく各受信映像信号をフレーム同期させかつフレーム同期の位相差を吸収して得ることができる。
【図面の簡単な説明】
【００２２】
【図１】従来の映像伝送システムの概略構成を示すブロック図である。
【図２】図１のシステム中の送信装置の構成を示すブロック図である。
【図３】図１のシステム中の受信装置の構成を示すブロック図である。
【図４】本発明の実施例として映像伝送システムの概略構成を示すブロック図である。
【図５】図４のシステム中の送信装置の構成を示すブロック図である。
【図６】図４のシステム中の受信装置の構成を示すブロック図である。
【図７】図４のシステム中のフレーム同期信号発生装置の構成を示すブロック図である。
【図８】図４のシステムの各部の映像信号のフレーム、同期信号の波形、同期信号の位相差、及び遅延時間を示す図である。
【発明を実施するための形態】
【００２３】
以下、本発明の実施例を図面を参照しつつ詳細に説明する。
【００２４】
図４は本発明の実施例として映像伝送システムを示している。この映像伝送システムは、映像信号源１１-１〜１１-ｎ、送信装置１２-１〜１２-ｎ、ネットワーク１３、受信装置１４-１〜１４-ｎ、同期信号源１５、フレーム同期信号発生装置１６、及び映像機器１７から構成されている。
【００２５】
映像信号源１１-１〜１１-ｎ各々は、後述の遠隔フレーム同期信号を入力してその遠隔フレーム同期信号に同期して送信映像信号を生成して出力する。映像信号としては、ＮＴＳＣ、ＳＤＴＶ-ＳＤＩ(シリアルディジタルインターフェース)、ＨＤＴＶ−ＳＤＩ等を含む複数の種類が存在するが、本発明では特に限定されない。
【００２６】
送信装置１２-１〜１２-ｎは、映像信号源１１-１〜１１-ｎに各々接続されている。送信装置１２-１〜１２-ｎ各々は映像信号源１１-１〜１１-ｎのうちの対応する映像信号源の出力映像信号を入力してその映像信号に基づいて送信回線データを出力する。また、送信装置１２-１〜１２-ｎ各々は後述するようにネットワーク１３によって伝送された送信用時間情報パケットを受信し、その送信用時間情報パケットに基づいて遠隔フレーム同期信号を生成する。送信装置１２-１〜１２-ｎ各々の具体的な構成については後述する。
【００２７】
ネットワーク１３は、送信装置１２-１〜１２-ｎ各々から出力された送信回線データを対応する受信装置１４-１〜１４-ｎに伝送する。また、ネットワーク１３は受信装置１４-１〜１４-ｎ各々から出力された送信用時間情報パケットを対応する送信装置１２-１〜１２-ｎに伝送する。
【００２８】
受信装置１４-１〜１４-ｎ各々は、後述するようにネットワーク１３によって伝送された回線データを受信し、その受信回線データに基づいて受信映像信号を生成する。また、受信装置１４-１〜１４-ｎ各々はフレーム同期信号発生装置１６から個別に得られるフレーム同期信号に基づいて送信用時間情報パケットを生成する。受信装置１４-１〜１４-ｎ各々の具体的な構成については後述する。
【００２９】
映像機器１５は、画面切替器及び画面合成器（共に図示せず）を備えている。画面切替器は受信装置１４-１〜１４-ｎから出力された複数の受信映像信号を入力し、その入力した受信映像信号のうちから１つの映像信号を選択して出力する。画面合成器はその受信映像信号の各々のサイズを縮小して１つの映像信号に合成して出力する。
【００３０】
同期信号源１６は、映像信号の共通フレーム同期信号を発生する。この共通フレーム同期信号はフレーム同期信号発生装置１７に供給される。
【００３１】
フレーム同期信号発生装置１７は、受信装置１４-１〜１４-ｎ各々から出力された受信映像信号を入力し、受信映像信号毎に受信映像信号のフレーム同期信号と共通フレーム同期信号との位相差を測定し、その位相差を補正したフレーム同期信号を生成し、それを受信装置１４-１〜１４-ｎに供給する。フレーム同期信号発生装置１７の具体的な構成については後述する。
【００３２】
図５は送信装置１２-１の構成を示している。送信装置１２-１〜１２-ｎは同一の構成であるので、送信装置１２-１の構成のみが図示されている。送信装置１２-１〜１２-ｎ各々はクロック抽出部１２１、ビデオ入力処理部１２２、ビデオパケット処理部１２３、時間情報パケット生成部１２４、及びパケット送信部１２５の他に、パケット受信部１２６、同期信号生成部１２７、位相比較器１２８、ＶＣＸＯ１２９、及び分周回路１３０から構成されている。クロック抽出部１２１、ビデオ入力処理部１２２、ビデオパケット処理部１２３、時間情報パケット生成部１２４、及びパケット送信部１２５からなる部分は、図２に示したクロック抽出部３１、ビデオ入力処理部３２、ビデオパケット処理部３３、時間情報パケット生成部３４、及びパケット送信部３５からなる部分と同一であるので、ここでの更なる説明は省略される。
【００３３】
パケット受信部１２６は受信装置１４-１から送出され、そしてネットワーク１３を介して伝送された送信用時間情報パケットを受信し、受信した送信用時間情報パケットを同期信号生成部１２７に供給する。
【００３４】
同期信号生成部１２７はＶＣＸＯ１２９から出力される基本クロックに同期して送信用時間情報パケットから内部フレーム同期信号を生成して位相比較器１２８に出力する。位相比較器１２８、ＶＣＸＯ１２９、及び分周回路１３０はＰＬＬ回路を構成する。位相比較器１２８は内部フレーム同期信号と、分周回路１３０から出力される遠隔フレーム同期信号とを位相比較して位相差に対応したレベルの電圧を制御電圧としてＶＣＸＯ１２９に出力する。ＶＣＸＯ１２９は位相比較器１２８の出力制御電圧に応じた周波数の基本クロックを出力する。基本クロックは上記したように同期信号生成部１２７に供給されると共に分周回路１３０に供給される。分周回路１３０は基本クロックを分周することにより遠隔フレーム同期信号に変換して出力する。
【００３５】
図６は受信装置１４-１の構成を示している。受信装置１４-１〜１４-ｎは同一の構成であるので、受信装置１４-１の構成のみが図示されている。受信装置１４-１は、パケット受信部１４１、同期信号生成部１４２、位相比較器１４３、ＶＣＸＯ１４４、分周回路１４５、ビデオパケット処理部１４６、及びビデオ出力処理部１４７の他に、クロック抽出部１４８、時間情報パケット生成部１４９、及びパケット送信部１５０から構成されている。パケット受信部１４１、同期信号生成部１４２、位相比較器１４３、ＶＣＸＯ１４４、分周回路１４５、ビデオパケット処理部１４６、及びビデオ出力処理部１４７からなる部分は、図３に示したパケット受信部５１、同期信号生成部５２、位相比較器５３、ＶＣＸＯ５４、分周回路５５、ビデオパケット処理部５６、及びビデオ出力処理部５７からなる部分と同一であるので、ここでの更なる説明は省略される。
【００３６】
クロック抽出部１４８はフレーム同期信号発生装置１７から発せられたフレーム同期信号を受け入れ、そのフレーム同期信号から基本クロックと送信用フレーム同期信号と抽出して時間情報パケット生成部１４９に出力する。
【００３７】
時間情報パケット生成部１４９はクロック抽出部１４８から出力された基本クロックと送信用フレーム同期信号とに応じて時間情報パケットを生成してパケット送信部１５０に出力する。
【００３８】
パケット送信部１５０は時間情報パケット生成部１４９から出力された時間情報パケットを多重化して送信用時間情報パケットとして送出する。
【００３９】
図７はフレーム同期信号発生装置１７の構成を示している。フレーム同期信号発生装置１７は、同期信号抽出部１７１-１〜１７１-ｎ、同期判定部１７２-１〜１７２-ｎ、位相測定部１７３-１〜１７３-ｎ、遅延部１７４-１〜１７４-ｎ、及びクロック抽出部１７５を備えている。
【００４０】
クロック抽出部１７５は共通フレーム同期信号を受け入れ、共通フレーム同期信号から基本クロックと内部フレーム同期信号とを生成する。基本クロックは画素単位のタイミングを示すクロックである。また、この内部フレーム同期信号は共通フレーム同期信号と同一である。基本クロックと内部フレーム同期信号とは同期判定部１７２-１〜１７２-ｎ、位相測定部１７３-１〜１７３-ｎ、及び遅延部１７４-１〜１７４-ｎに供給される。同期信号抽出部１７１-１〜１７１-ｎ、同期判定部１７２-１〜１７２-ｎ、位相測定部１７３-１〜１７３-ｎ、遅延部１７４-１〜１７４-ｎは受信装置１４-１〜１４-ｎの数、すなわち受信映像信号の数だけ備えられ、第１〜第ｎフレーム同期信号生成系を形成している。第１受信映像信号が供給される第１フレーム同期信号生成系は同期信号抽出部１７１-１、同期判定部１７２-１、位相測定部１７３-１、及び遅延部１７４-１を備えている。同期信号抽出部１７１-１は第１受信映像信号中からフレーム同期信号を抽出して第１抽出同期信号として同期判定部１７２-１に出力する。同期判定部１７２-１はその第１抽出同期信号とクロック抽出部１７５から出力された内部フレーム同期信号とが位相同期したか（フレーム同期の位相差なしか）どうかを基本クロックのタイミングで判定する。位相測定部１７３-１は第１抽出同期信号と内部フレーム同期信号との位相差を基本クロックを用いて測定する。遅延部１７４-１は内部フレーム同期信号の位相調整を行うために設けられ、位相測定部１７３-１によって測定された位相差に応じて基本クロックを計測して内部フレーム同期信号を遅延させて第１フレーム同期信号を生成する。第２〜第ｎ受信映像信号が供給される第２〜第ｎフレーム同期信号生成系各々の構成は第１フレーム同期信号生成系の構成と同一であるので、説明が省略される。なお、遅延部１７４-１〜１７４-ｎ各々による位相調整のための遅延時間の最大値はＴである。
【００４１】
かかる構成の本発明による映像伝送システムにおいては、先ず、映像信号源１１-１が出力する映像信号について説明すると、その映像信号は映像信号源１１-１では遠隔フレーム同期信号に同期して生成される。遠隔フレーム同期信号は初期段階では送信装置１２-１においてＶＣＸＯ１２９が発生する基本クロックを分周回路１３０が分周することにより通常生成される。
【００４２】
映像信号源１１-１の出力映像信号は送信装置１２-１によって送信映像パケットとされる。すなわち、ビデオ入力処理部１２２において送信基本クロックａ及び送信フレーム同期信号ｂに応じたタイミングで入力処理されて送信映像データとされ、その送信映像データはビデオパケット処理部１２３において送信基本クロックａ及び送信フレーム同期信号ｂに応じて送信映像パケットとされる。更に、時間情報パケット生成部１２４においては送信基本クロックａ及び送信フレーム同期信号ｂに応じて時間情報パケット（第１時間情報パケット）が生成される。送信映像パケット及び時間情報パケットはパケット送信部１２５によって送信回線データとして送信される。この符号１２１〜１２５からなる部分の動作は図１に示した従来のシステムの送信装置３-１〜３-ｎの動作と同一である。
【００４３】
送信回線データはネットワーク１３によって伝送されて受信装置１４-１のパケット受信部１４１で受信される。パケット受信部１４１では、受信した回線データが映像パケットと時間情報パケットとに分離される。時間情報パケットに基づいて同期信号生成部１４２、位相比較器１４３、ＶＣＸＯ１４４、及び分周回路１４５からなる部分が受信基本クロックａ’及び受信フレーム同期信号ｂ’を生成する。なお、同期信号生成部１４２から出力される内部フレーム同期信号が第１内部フレーム同期信号である。
【００４４】
パケット受信部１４１からの受信映像パケットはビデオパケット処理部１４６において受信基本クロックａ’及び受信フレーム同期信号ｂ’に同期して受信映像パケットから受信映像データが抽出され、更に、その受信映像データに応じてビデオ出力処理部１４７において受信基本クロックａ’及び受信フレーム同期信号ｂ’に同期して第１受信映像信号が生成される。この符号１４１〜１４７からなる部分の動作は図１に示した従来のシステムの受信装置５-１〜５-ｎの動作と同一である。
【００４５】
第１受信映像信号は映像機器１５に供給されると共にフレーム同期信号発生装置１７に供給される。フレーム同期信号発生装置１７には更に、同期信号源１６から共通フレーム同期信号が供給される。
【００４６】
フレーム同期信号発生装置１７においてクロック抽出部１７５からは共通フレーム同期信号が内部フレーム同期信号として出力されると共に共通フレーム同期信号に基づいた基本クロックが出力される。図８(a)は内部フレーム同期信号（共通フレーム同期信号）の波形を示している。
【００４７】
また、フレーム同期信号発生装置１７おいて、同期信号抽出部１７１-１が第１受信映像信号中からフレーム同期信号を第１抽出同期信号として抽出する。図８(b)は第１受信映像信号のフレームをフレーム番号で示しており、同期信号抽出部１７１-１によって抽出された第１抽出同期信号は図８(c)に示す通りの波形を有する。第１抽出同期信号は位相測定部１７３-１に供給され、第１抽出同期信号と内部フレーム同期信号との位相差が測定される。図８(d)に示したｔ１がその測定された位相差である。測定された位相差は遅延部１７４-１に供給される。遅延部１７４-１では遅延時間の最大値Ｔから位相差ｔ１が差し引かれ、Ｔ−ｔ１だけ内部フレーム同期信号を遅延させて第１フレーム同期信号（遅延フレーム同期信号）を生成する。遅延時間Ｔ−ｔ１が図８(e)に示すような時間幅であれば、図８(f)に示す如きタイミングで第１フレーム同期信号は生成される。
【００４８】
第１フレーム同期信号は受信装置１４-１のクロック抽出部１４８に供給される。クロック抽出部１４８は第１フレーム同期信号を送信用フレーム同期信号とすると共に第１フレーム同期信号に基づいた基本クロックを生成する。その基本クロックと送信用フレーム同期信号とに応じて時間情報パケット生成部１４９によって送信用時間情報パケット（第２時間情報パケット）が生成され、送信用時間情報パケットはパケット送信部１５０によって送出され、ネットワーク１３によって送信装置１２-１に向けて伝送される。送信用時間情報パケットは第１フレーム同期信号についての時間情報を有するパケットである。
【００４９】
送信装置１２-１において、パケット受信部１２６がその送信用時間情報パケットを受信すると、送信用時間情報パケットは同期信号生成部１２７に供給され、同期信号生成部１２７において送信用時間情報パケットに応じて内部フレーム同期信号（第２内部フレーム同期信号）が生成される。その内部フレーム同期信号は位相比較器１２８によって遠隔フレーム同期信号と位相比較される。位相比較により位相に対応したレベルの制御電圧が位相比較器１２８からＶＣＸＯ１２９に供給される。ＶＣＸＯ１２９は位相比較器１２８の出力制御電圧に応じた周波数の基本クロックを出力する。この基本クロックに応じて分周回路１３０によって遠隔フレーム同期信号が生成される。このように遠隔フレーム同期信号は第１フレーム同期信号についての時間情報パケットに基づいて生成されるので、結果として上記の位相差ｔ１を減少させるように位相調整されて生成されることになる。
【００５０】
映像信号源１１-１では位相調整された遠隔フレーム同期信号に同期して映像信号が生成され、上記した送信装置１２-１及び受信装置１４-１各々の動作が繰り返される。よって、受信装置１４-１から出力される第１受信映像信号のフレームは図８(g)に示すように内部フレーム同期信号の立ち上がり及び立ち下がりタイミングに一致して変化することになる。
【００５１】
映像信号源１１-２〜１１-ｎから各々出力される映像信号についても上記した映像信号源１１-１から出力される映像信号と同様に処理される。図８(h)〜(m)には映像信号源１１-２から出力される映像信号に関係した映像信号のフレーム及び同期信号の波形が示され、図８(n)〜(s)には映像信号源１１-ｎから出力される映像信号に関係した映像信号のフレーム及び同期信号の波形が示されている。
【００５２】
映像信号源１１-２から出力される映像信号については、送信装置１２-２、ネットワーク１３、及び受信装置１４-２によって伝送されて第２受信映像信号とされる。第２受信映像信号のフレームが図８(h)に示すように変化するならば、同期信号抽出部１７１-２によって抽出された第２抽出同期信号は図８(i)に示す通りの波形を有する。第２抽出同期信号と内部フレーム同期信号との位相差ｔ２が図８(j)に示すように測定されると、遅延部１７４-２では遅延時間の最大値Ｔから位相差ｔ２が差し引かれ、Ｔ−ｔ２だけ内部フレーム同期信号を遅延させて第２フレーム同期信号を生成する。遅延時間Ｔ−ｔ２が図８(k)に示すような時間幅であれば、図８(l)に示す如きタイミングで第２フレーム同期信号は生成される。第２フレーム同期信号は送信用時間情報パケットとして受信装置１４-２、ネットワーク１３、及び送信装置１２-２によって伝送され、送信用時間情報パケットに基づいて内部フレーム同期信号が生成され、内部フレーム同期信号に応じて遠隔フレーム同期信号の位相が調整される。映像信号源１１-２では位相調整された遠隔フレーム同期信号に同期して映像信号が生成され、送信装置１２-２及び受信装置１４-２各々の動作が繰り返される。よって、受信装置１４-２から出力される第２受信映像信号のフレームは図８(m)に示すように内部フレーム同期信号の立ち上がり及び立ち下がりタイミングに一致して変化することになる。
【００５３】
同様に、映像信号源１１-ｎから出力される映像信号については、送信装置１２-ｎ、ネットワーク１３、及び受信装置１４-ｎによって伝送されて第ｎ受信映像信号とされる。第ｎ受信映像信号のフレームが図８(n)に示すように変化するならば、同期信号抽出部１７１-ｎによって抽出された第ｎ抽出同期信号は図８(o)に示す通りの波形を有する。第ｎ抽出同期信号と内部フレーム同期信号との位相差ｔｎが図８(p)に示すように測定されると、遅延部１７４-ｎでは遅延時間の最大値Ｔから位相差ｔｎが差し引かれ、Ｔ−ｔｎだけ内部フレーム同期信号を遅延させて第ｎフレーム同期信号を生成する。遅延時間Ｔ−ｔｎが図８(q)に示すような時間幅であれば、図８(r)に示す如きタイミングで第ｎフレーム同期信号は生成される。第ｎフレーム同期信号は送信用時間情報パケットとして受信装置１４-ｎ、ネットワーク１３、及び送信装置１２-ｎによって伝送され、送信用時間情報パケットに基づいて内部フレーム同期信号が生成され、内部フレーム同期信号に応じて遠隔フレーム同期信号の位相が調整される。映像信号源１１-ｎでは位相調整された遠隔フレーム同期信号に同期して映像信号が生成され、送信装置１２-ｎ及び受信装置１４-ｎ各々の動作が繰り返される。よって、受信装置１４-ｎから出力される第ｎ受信映像信号のフレームは図８(s)に示すように内部フレーム同期信号の立ち上がり及び立ち下がりタイミングに一致して変化することになる。
【００５４】
このように受信装置１４-１〜１４-ｎから各々出力される第１〜第ｎ受信映像信号のフレームが内部フレーム同期信号の立ち上がり及び立ち下がりタイミングに一致して変化することになる。すなわち、送信装置１２-１〜１２-ｎから受信装置１４-１〜１４-ｎまでの伝送路上の遅延時間が互いに異なっていても受信装置１４-１〜１４-ｎにおいて第１〜第ｎ受信映像信号全てのフレーム同期の位相（フレーム開始タイミング）を一致させることができる。
【００５５】
よって、上記の実施例においては、第１〜第ｎ受信映像信号全てのフレーム位相が一致するので、第１〜第ｎ受信映像信号は映像機器１５においてフレームのコマ落ちや同一フレームの連続を起こすことなく、画面切り替え又は画面合成処理されることができる。また、図１に示した従来のシステムで用いたＦＳを受信装置１４-１〜１４-ｎと映像機器１５との間に設ける必要がない。
【００５６】
また、上記の実施例によれば、映像パケットを伝送していない方向(受信装置から送信装置へ)の伝送路を利用することが可能であるので、ネットワーク資源の有効利用を図ることができるという利点もある。
【００５７】
なお、上記した実施例においては、送信装置１２-１〜１２-ｎ各々の内に送信用時間情報パケットを受信して遠隔フレーム同期信号を生成する部分１２６〜１３０が備えられているが、この部分は送信装置１２-１〜１２-ｎの外部に形成しても良い。同様に、受信装置１４-１〜１４-ｎ各々の内にフレーム同期信号を入力して送信用時間情報パケットを送信する部分１４８〜１５０が備えられているが、この部分は受信装置１４-１〜１４-ｎの外部に形成しても良い。
【００５８】
また、上記した実施例において、同期判定部１７２-１によって第１抽出同期信号とクロック抽出部１７５から出力された内部フレーム同期信号とが位相同期したことが例えば、所定期間に亘って継続して判定された場合には、位相測定部１７３-１による第１抽出同期信号と内部フレーム同期信号との位相差の測定は停止される。その場合には位相測定部１７３-１ではその測定停止直前の位相差が維持出力される。その後、第１抽出同期信号とクロック抽出部１７５から出力された内部フレーム同期信号とが位相同期しなくなった場合には位相測定部１７３-１による第１抽出同期信号と内部フレーム同期信号との位相差の測定が再開される。
【００５９】
上記した実施例においては複数の遠隔地にある映像信号源に、映像フレーム同期信号を受信側から送信側の遠隔地に伝送する構成を例に説明したが、ネットワーク構成を変更すれば、同期信号源の所在位置は限定する必要はなく、ネットワーク上の任意の地点から全送信装置に映像フレーム同期信号を伝送するシステムを構築することが可能である。
【符号の説明】
【００６０】
１−１〜１−ｎ，１１−１〜１１−ｎ  映像信号源
３−１〜３−ｎ，１２−１〜１２−ｎ  送信装置
４，１３  ネットワーク
５−１〜５−ｎ，１４−１〜１４−ｎ  受信装置
８，１５  映像機器
１７  フレーム同期信号発生装置
【図１】
2012080405.tif 000003
【図２】
2012080405.tif 000004
【図３】
2012080405.tif 000005
【図４】
2012080405.tif 000006
【図５】
2012080405.tif 000007
【図６】
2012080405.tif 000008
【図７】
2012080405.tif 000009
【図８】
2012080405.tif 000010